(57)【特許請求の範囲】
【請求項１】
互いに略同一角度に傾斜した端面を摺動可能に接合する第１の継手体と第２の継手体とを備え、
前記第１および第２の継手体の傾斜した端面開口部は端面の傾斜面に対して直角方向から見た長径を短径に合わせた真円とし、長径から短径までの間の端面から第１および第２の継手体の内周面に対して緩い曲線または直線面で結んだことを特徴とした自在管継手。
【請求項２】
第１の継手体は、一端部に接続口を形成するとともに他端部の端面を傾斜面としかつこの傾斜面に沿って外周に環状の被嵌合径大部を形成し、この被嵌合径大部の外周面に環状の鍔部を形成するとともにＯリングを嵌着する環状溝を形成し、
前記第２の継手体は、一端部に接続口を形成するとともに他端部の端面を前記第１の継手体の端面傾斜面と略同一角度の角度に傾斜した傾斜面とし、この傾斜面に沿って外方に突出した段部を介して前記第１の継手体の被嵌合径大部を嵌合する環状の嵌合径大部を突出形成し、この嵌合径大部の内周面を前記第１の継手体の環状溝に嵌着したＯリングが摺動する０リング摺動面とするとともにこのＯリング摺動面よりも径大の係合摺動面を形成し、かつ、この係合摺動面の開口端側に前記第１の継手体の鍔部に係合する係止爪を突設した
ことを特徴とする請求項１記載の自在管継手。
【発明の詳細な説明】
【０００１】
【発明の属する技術分野】
本発明は自在管継手に係り、例えば、建物から出てくる排水管と排水桝に接続した排水管とが高低差をもって埋設設置される場合に、建物からの排水管と排水桝に接続した排水管とを接続するものに関する。
【０００２】
【従来の技術】
従来のこの種の自在管継手は、一般的に一方の継手体の端部を球面状に膨出した嵌合部を形成し、他方の継手体の端部に一方の継手体の嵌合部に嵌合される球形状のアダプターを接続した構造が知られている。
【０００３】
この構造の自在管継手では、任意の方向に向きを変えることができるが、一方の継手体と他方の継手体のなす角度を約１５°以上にすると、アダプターが嵌合部の開口縁に当たり、アダプターが抜け外れ易く、排水配管経路に１５°以上の曲り角度がある場合には対応できない問題があった。
【０００４】
また、例えば、特開平１ー１８２６９号公報または特開平６−４６０７８号公報に記載されているように、一方の継手体の端面を傾斜面に形成するとともに、他方の継手部材の端面を一方の継手体の端面の傾斜面に合わせた傾斜面として、この両継手体の傾斜面の端面を互いに摺動可能に接合して両継手体のなす角度を調整できるようにした自在管継手が知られている。
【０００５】
上記従来の特開平１ー１８２６９号公報などに記載された構造の管継手では、継手体の端面の傾斜角度が大きくなると、端面形状が長径と短径との差が大きい楕円形状となるために開口面は真円となりにくく、接合端面に段部が生じるため、曲り角度が大きな口径の自在管継手が得られなかった。
【０００６】
そこで、例えば、実開昭５０−１１８５１８号公報に記載されているように、互いに傾斜端面が回動自在に接合され、両継手体の傾斜面の端面を互いに摺動可能に接合して両継手体のなす角度を調整できるようにした自在管継手において、両継手体の傾斜した端面開口部を端面の傾斜面に対して直角方向から見た短径を長径に合わせた真円とした構造が提案されている。
【０００７】
【発明が解決しようとする課題】
上記実開昭５０−１１８５１８号公報に記載されている自在管継手では、互いに回動自在に接合される端面を、この端面の傾斜面に対して直角方向から見た短径を長径に合わせた真円とした構造としたため、接合端部の内径は長径側から短径部側に向かい外方に拡がる傾向となり、接合部の内周は窪み状の段部が形成され、口径が大きくなる程段差が大きくなり、継手内に溜まる排水の量が大きくなり、掃除ができない問題がある。
【０００８】
本発明は上記問題点に鑑みなされたもので、高さ差、或いは水平方向にずれをもって排水管などを接続でき、継手内に排水が溜まることがなく、排水が円滑に行われる自在管継手を提供するものである。
【０００９】
【課題を解決するための手段】
請求項１記載の発明の自在管継手は、互いに略同一角度に傾斜した端面を摺動可能に接合する第１の継手体と第２の継手体とを備え、前記第１および第２の継手体の傾斜した端面開口部は端面の傾斜面に対して直角方向から見た長径を短径に合わせた真円とし、長径から短径までの間の端面から第１および第２の継手体の内周面に対して緩い曲線または直線面で結んだものである。
【００１０】
そして、第１および第２の継手体を円周方向に向けて互いに反対方向に回動させ、第１および第２の継手体は互いに直線状態から端面の傾斜角度の倍の角度までの曲り状態にでき、例えば、高さ差を有する排水管などの接続、或いは、水平方向にずれている排水管などの接続が容易にできる。
【００１１】
この継手体の傾斜した端面開口部は端面の傾斜面に対して直角方向から見た長径を短径に合わせた真円のため、両継手体の端部が外方に拡がることなく、第１および第２の継手体との端面を互いに摺動回動させて第１および第２の継手体とのなす曲り角度を調節した場合、第１および第２の継手体の回動角度がいかなる位置でも接合端面に段部が形成されず、排水などは開口端面の長径から短径までの間の端面から第１および第２の継手体の内周面に対して緩い曲線または直線面を円滑に流れる。
【００１２】
請求項２記載の発明の自在管継手は、請求項１記載の自在管継手において、第１の継手体は、一端部に接続口を形成するとともに他端部の端面を傾斜面としかつこの傾斜面に沿って外周に環状の被嵌合径大部を形成し、この被嵌合径大部の外周面に環状の鍔部を形成するとともにＯリングを嵌着する環状溝を形成し、前記第２の継手体は、一端部に接続口を形成するとともに他端部の端面を前記第１の継手体の端面傾斜面と略同一角度の角度に傾斜した傾斜面とし、この傾斜面に沿って外方に突出した段部を介して前記第１の継手体の被嵌合径大部を嵌合する環状の嵌合径大部を突出形成し、この嵌合径大部の内周面を前記第１の継手体の環状溝に嵌着したＯリングが摺動する０リング摺動面とするとともにこのＯリング摺動面よりも径大の係合摺動面を形成し、かつ、この係合摺動面の開口端側に前記第１の継手体の鍔部に係合する係止爪を突設したものである。
【００１３】
そして、第１の継手体の被嵌合径大部を第２の継手体の嵌合径大部に圧入嵌合することにより、第１の継手体の被嵌合径大部に形成した鍔部に第２の継手体の嵌合径大部に形成した係止爪が係止され、第１の継手体と第２の継手体とは抜け外れることなく、互いに端面を摺動自在に結合される。
【００１４】
また、第１の継手体の被嵌合径大部に形成した環状溝に嵌着したＯリングは第２の継手体の嵌合部に形成したＯリング摺動面に圧接され、第１の継手体と第２の継手体とは液密に接続される。
【００１５】
【発明の実施の形態】
本発明の一実施の形態の構成を図１について説明する。
【００１６】
１は塩化ビニルなどの合成樹脂にて成形した軸方向に対する垂直断面が円形の第１の継手体で、この第１の継手体１は、一端部に受口の接続口２を形成するとともに他端部の端面を傾斜面３としかつこの傾斜面３に沿って外周に環状の被嵌合径大部４が形成されている。この被嵌合径大部４の外周面に環状の鍔部５を形成するとともにこの鍔部５より他方端面側にＯリング６を嵌着する環状溝７が形成されている。
【００１７】
なお、この第１の継手体１の被嵌合径大部４の接合端面には歪み防止の肉盗み溝８が形成されている。
【００１８】
また、１１は塩化ビニルなどの合成樹脂にて成形した軸方向に対する垂直断面が円形の第２の継手体１１で、この第２の継手体１１は一端部に受口の接続口１２を形成するとともに他端部の端面を前記第１の継手体１の端面傾斜面３と略同一角度の角度に傾斜した傾斜面１３とし、この傾斜面１３に沿って外方に突出した段部１４を介して前記第１の継手体１の被嵌合径大部４を嵌合する環状の嵌合径大部１５を突出形成する。この嵌合径大部１５の内周面を前記第１の継手体１の環状溝７に嵌着したＯリング６が摺動する０リング摺動面１６とするとともにこのＯリング摺動面１６よりも径大の係合摺動面１７をこのＯリング摺動面１６より他方端面側に形成する。また、この係合摺動面１７の開口端側に前記第１の継手体１の鍔部５に係合する係止爪１８が円周方向に間欠的に突設形成されている。
【００１９】
また、前記第１および第２の継手体１，１１の傾斜した端面開口部は端面の傾斜面３，１３に対して直角方向から見た長径を短径に合わせた真円とし、長径から短径までの間の端面から第１および第２の継手体１，１１の内周面に対して緩い曲線または直線の内周面１９，２０で結んである。
【００２０】
そして、第１の継手体１の被嵌合径大部４を第２の継手体１１の嵌合径大部１５に圧入嵌合することにより、第１の継手体１の被嵌合径大部４に形成した鍔部５に第２の継手体１１の嵌合径大部１５に形成した係止爪１８が係止され、第１の継手体１と第２の継手体１１とは抜け外れることなく、互いに他端面を摺動自在に結合される。
【００２１】
次にこの実施の形態の作用を説明する。
【００２２】
第１の継手体１の被嵌合径大部４に形成した環状溝７に嵌着されているＯリング６は第２の継手体１１の嵌合径大部１５に形成したＯリング摺動面１６に圧接され、第１の継手体１と第２の継手体１１とは液密に接続される。
【００２３】
そして、第１および第２の継手体１，１１を円周方向に向けて互いに反対方向に回動させ、第１および第２の継手体１，１１は互いに直線状態から端面の傾斜角度の倍の角度までの曲り状態にでき、例えば、高さ差を有する排水管などの接続、或いは、水平方向にずれている排水管などの接続が容易にできる。
【００２４】
この第１および第２継手体１，１１の傾斜した端面開口部は端面の傾斜面３，１３に対して直角方向から見た長径を短径に合わせた真円のため、第１および第２の継手体１，１１との端部に互いに段部が形成されることなく接合され、第１および第２の継手体１，１１との端面を互いに摺動回動させて第１および第２の継手体１，１１とのなす曲り角度を調節した場合、第１および第２の継手体１，１１の回動角度がいかなる位置でも接合端面の内周に段部が形成されることがない。
【００２５】
また、第１および第２の継手体１，１１との端部は、開口端面の長径から短径までの間の端面から第１および第２の継手体１，１１の内周面に対して緩い曲線または直線面で結ばれているため、排水は両継手体１，１１の内周面１９，２０の緩い曲線または直線面を円滑に流れる。
【００２６】
なお、両継手体１，１１の内、上流側となる一方の継手体の長径を短径に合わせた真円とした端面の修正前の短径側を下側とすることにより、確実に排水の溜まりが生じる部分が生じない。
【００２７】
前記実施の形態では、第１の継手体１の被嵌合径大部４の外周面には鍔部５を一体に形成したが、この実施の形態では図２に示すように、鍔部を拡径方向に付勢された硬質の合成樹脂、金属線などの割りリング５ａで形成し、この割りリング５ａを第１の継手体１の被嵌合径大部４の外周面に形成した環状保持溝２１に嵌着する。
【００２８】
そして、第１の継手体１の被嵌合径大部４を第２の継手体１１の嵌合径大部１５に割りリング５ａを縮径させて圧入嵌合することにより、第１の継手体１の被嵌合径大部４に形成した鍔部となる割りリング５ａが拡径されて第２の継手体１１の嵌合径大部１５に形成した係止爪１８に係止され、第１の継手体１と第２の継手体１１とは抜け外れることなく、互いに他端面を摺動自在に結合される。
【００２９】
なお、この図２に示す自在管継手の他の構成は、図１に示す実施の形態と全く同一であるので、同一構成部分を同一符号で示して説明を省略する。
【００３０】
また、前記図２に示す実施の形態では、第１の継手体１の被嵌合径大部４に形成した鍔部となる弾性リング５ａより他方端面側にＯリング６を嵌着する環状溝７を形成した構成としたが、図３に示すように、Ｏリング６を嵌着する環状溝７より他方端面側に割りリング５ａを保持する環状保持溝２１を形成することもできる。
【００３１】
なお、この図３に示す自在管継手の他の構成は、図１および図２に示す実施の形態と全く同一であるので、同一構成部分を同一符号で示して説明を省略する。
【００３２】
なお、前記各実施の形態では、第１の継手体１と第２の継手体１１は、いずれか一方を上流側とし、他方を下流側とすることができる。
【００３３】
なお、この実施の形態では、第２の継手体１１の嵌合径大部１５に形成した係止爪１８は必ずしも円周方向に間欠的に設けず、環状に連続した形状とすることもできる。
【００３４】
【実施例】
図１ないし図３に示す各実施の形態において、第１の継手体１の他端面の傾斜面３と第２の継手体１１の他端面の傾斜面１３の傾斜角度  ２２．５  °とすることにより、第１の継手体１と第２の継手体１１とのなす角度は直線状態から４５°の曲り角度までの範囲とすることができる。
【００３５】
【発明の効果】
請求項１記載の発明によれば、第１および第２の継手体を円周方向に向けて互いに反対方向に回動させることにより第１および第２の継手体を直線状から曲り状態にでき、高さ差、或いは水平方向にずれがある排水管系などを接続するとき、高さ差、水平方向のずれに応じて調節でき、配管作業が容易にできる。
【００３６】
また、両継手体の傾斜した端面開口部は端面の傾斜面に対して直角方向から見た長径を短径に合わせた真円のため、第１および第２の継手体との端部には窪み状の凹部が生じることがないので、第１および第２の継手体との端面を互いに摺動回動させて第１および第２の継手体とのなす曲り角度を調節した場合、第１および第２の継手体の回動角度がいかなる位置でも接合端面に段部が形成されず、両継手体は開口端面の長径から短径までの間の端面から第１および第２の継手体の内周面に対して緩い曲線または直線面で結ばれ、排水は両継手体内を円滑に流れる。
【００３７】
請求項２記載の発明によれば、第１の継手体の被嵌合径大部を第２の継手体の嵌合径大部に圧入嵌合することにより、第１の継手体と第２の継手体とは抜け外れることなく、互いに端面を摺動自在に結合でき、組み立て性が良好となり、第１の継手体に第２の継手体を液密に接続できる。
【図面の簡単な説明】
【図１】本発明の一実施の形態を示す自在管継手の縦断正面図である。
【図２】本発明の他の実施の形態を示す自在管継手の縦断正面図である。
【図３】本発明のさらに他の実施の形態を示す自在管継手の縦断正面図である。
【符号の説明】
１    第１の継手体
２，１２    接続口
３，１３    傾斜面
４    被嵌合径大部
５    鍔部
６    Ｏリング
７    環状溝
１１    第２の継手体
１４    段部
１５    嵌合径大部
１６    Ｏリング摺動面
１７    係合摺動面
１８    係止爪
１９，２０    直線の内周面
【図１】
0003633677.tif 000002
【図２】
0003633677.tif 000003
【図３】
0003633677.tif 000004